(57)【特許請求の範囲】
【請求項１】
ひげそり器（８）用の洗浄装置であって、
洗浄流体（３）の補給品を保持する貯蔵容器（２）と、
前記ひげそり器（８）を受容する洗浄レセプタクル（５）と、
を有し、
前記貯蔵容器（２）は放出口部（６）を有し、前記洗浄流体（３）は、該放出口部を介して前記貯蔵容器（２）から前記洗浄レセプタクル（５）へと流れることが可能であり、
前記貯蔵容器（２）及び前記洗浄レセプタクル（５）は、前記貯蔵容器（２）中の前記洗浄流体（３）のレベルが前記洗浄レセプタクル（５）中の前記洗浄流体（３）の所定の最低レベルより高いよう設計され、前記貯蔵容器（２）中の前記洗浄流体（３）のレベルと前記洗浄レセプタクル（５）中の前記洗浄流体（３）の所定の最低レベルとの間の差異によって生成され且つ前記貯蔵容器（２）から前記洗浄レセプタクル（５）まで流れる流体の流れは、前記洗浄レセプタクル（５）中の前記洗浄流体（３）の実際のレベルに依存して制御可能である、
ことを特徴とする洗浄装置。
【請求項２】
前記流体の流れは、前記洗浄レセプタクル（５）中の洗浄流体（３）の前記実際のレベルが、前記所定の最低限のレベルより低くなるまでは、前記貯蔵容器（２）から洗浄レセプタクル（５）まで流れることが可能ではない、
ことを特徴とする請求項１記載の洗浄装置。
【請求項３】
前記最低レベルは、前記洗浄レセプタクル（５）中に配置された前記ひげそり器（８）が所定のレベルまで前記洗浄流体（３）で湿らされるよう、算出される、
ことを特徴とする請求項１又は２記載の洗浄装置。
【請求項４】
前記貯蔵容器（２）の前記放出口部（６）は、換気口部として構成され、前記洗浄レセプタクル中の前記洗浄流体の前記レベルが前記最低レベルを下回る際に、前記放出口部を介して前記貯蔵容器は通気される、
ことを特徴とする請求項１乃至３のうちいずれか一項記載の洗浄装置。
【請求項５】
前記最低レベルは、前記放出口部（６）の高さの位置によって予め定められる、
ことを特徴とする請求項４記載の洗浄装置。
【請求項６】
前記洗浄レセプタクル（５）において、前記ひげそり器（８）用の支持部（７）が備えられる、
ことを特徴とする請求項１乃至５のうちいずれか一項記載の洗浄装置。
【請求項７】
前記支持部（７）は、その下部に少なくとも１つの開口部（９）を有する、
ことを特徴とする請求項６記載の洗浄装置。
【請求項８】
前記洗浄レセプタクル（５）は、毛の細片及び／又はゴミが収まるよう収集容器（１０）を有する、
ことを特徴とする請求項１乃至７のうちいずれか一項記載の洗浄装置。
【請求項９】
前記ひげそり器（８）を前記洗浄レセプタクル（５）の上方の固定された位置に保持するよう、保持装置（１２）が備えられる、
ことを特徴とする請求項１乃至８のうちいずれか一項記載の洗浄装置。
【請求項１０】
前記貯蔵容器（２）は、前記洗浄流体（３）の前記レベルを読み取るよう観察窓（４）を有する、
ことを特徴とする請求項１乃至９のうちいずれか一項記載の洗浄装置。
【請求項１１】
前記貯蔵容器（２）及び前記洗浄レセプタクル（５）は、１個構成として一体的に作られる、
ことを特徴とする請求項１乃至１０のうちいずれか一項記載の洗浄装置。
【請求項１２】
ひげそり器（８）と該ひげそり器（８）を洗浄する洗浄装置（１）とを有するシステムであって、
前記洗浄装置（１）は、請求項１乃至１１のうちいずれか一項に従って構成され、前記ひげそり器（８）は、前記ひげそり器（８）を前記洗浄周期中に一時的に操作させる洗浄機能を開始する開始装置を有する、
ことを特徴とするシステム。
【請求項１３】
前記開始装置は、手動操作用に設計される、
ことを特徴とする請求項１２記載のシステム。
【請求項１４】
前記開始装置は、前記洗浄装置（１）を介して作動するよう設計される、
ことを特徴とする請求項１２又は１３記載のシステム。
【発明の詳細な説明】
【技術分野】
【０００１】
本発明は、ひげそり器用の洗浄装置に係る。また、本発明は、ひげそり器及び洗浄装置を有するシステム、及び、ひげそり器を洗浄する方法に係る。
【背景技術】
【０００２】
ひげそり器用の洗浄装置は、ひげそりヘッド部に付着する毛の細片及び他のゴミの除去に使用される。かかる洗浄装置は、手動のもの及び電動のものがある多種の機能性及び構造性の種類で、従来技術において既知である。
【０００３】
手動の洗浄装置は、欧州特許第０７４３８８３Ｂ１号明細書（特許文献１）より既知である。該文献は、回転式乾燥ひげそり器のひげそりユニット等の対象物を洗い流す装置を開示する。既知の洗浄装置は、２つの洗浄流体用容器を有する。一方の容器は、可変容量を有し、容量を変えることによって洗浄流体が容器間にポンプで送り込まれ得るようにされ、容器間でレセプタクルに配置されたひげそりユニットは、流体の流れで洗い流され得る。ゴミを保持するよう、フィルタが備えられ、フィルタを介して流体の流れは、弁の配置によって予め定められている流れの方向にされる。
【０００４】
米国特許第３，１７２，４１６号明細書（特許文献２）より、電気かみそり用の洗浄装置が既知であり、かかる装置は、かみそりのカッター部を受容するアクセス窓を備えた筐体を有する。筐体は、洗浄流体の循環する流れを生成するモータ駆動の流体推進組立体と、毛及び他の細片を蓄積するよう収集器とを有する。洗浄に対して、洗浄流体は、カッター部を介して洗い流され、同時に、洗浄装置に接続されたかみそりは、作動にセットされる。
【０００５】
独国特許発明第４４０２２３８Ｃ２号明細書（特許文献３）は、乾燥ひげそり器のひげそりヘッド部用の洗浄装置を開示する。該洗浄装置は、ひげそり器のひげそりヘッド部用のレセプタクルと、少なくとも１つの洗浄流体貯蔵容器とを有する。レセプタクルは、洗浄流体より高い位置に配置され、モータ駆動ポンプ装置を用いて、洗浄流体貯蔵容器から洗浄流体を与えられるよう適合される。かかる目的のために、レセプタクルは、オーバーフロー装置、及び／又は、少なくとも１つの流出開口を介して、洗浄流体貯蔵容器に接続される。
【０００６】
最後に、電動ひげそり器のひげそりヘッド部は、また、外付けの洗浄装置無しで洗浄されることが既知である。かかる状況では、独国特許発明第６９０２１８９８Ｔ２号明細書（特許文献４）は、駆動式のひげそり部材及び単独で駆動式の振動装置を有する乾燥ひげそり器を開示する。振動装置は、ひげそり部材及ひげそり器の他の部分に付着する毛の細片及び他のゴミを除去する働きをする。振動装置は、ひげそりモードで使用される回転方向と比較して、ひげそり器の電動モータの回転方向を反転させることによって、作動される。かかる反転された回転の方向において、振動の動きは、かみ合い継手を用いて作られ、該かみ合い継手は、通常の回転方向においてひげそり部材を駆動させる。回転の方向を反転させる極性反転スイッチは、ひげそり器上に与えられる。同様に、また、ひげそり器のスイッチが切れた後、電気モータが、反転した回転方向で短期間自動的に作動されることが可能である。
【０００７】
非常によい洗浄結果が、既知の洗浄装置を使用して可能である場合はある。しかしながら、それらは、比較的精緻な設計を有するか、及び／又は、操作が難しい。
【特許文献１】欧州特許第０７４３８８３Ｂ１号明細書
【特許文献２】米国特許第３，１７２，４１６号明細書
【特許文献３】独国特許発明第４４０２２３８Ｃ２号明細書
【特許文献４】独国特許発明第６９０２１８９８Ｔ２号明細書
【発明の開示】
【発明が解決しようとする課題】
【０００８】
本発明は、経済的に製造され得、且つ、操作性のよさにおいて許容できるレベルを有する非常によい洗浄結果をもたらすよう、ひげそり器用の洗浄装置を与えることを目的とする。
【課題を解決するための手段】
【０００９】
かかる目的は、請求項１記載の特性の組合せを有する洗浄装置を与えることによって達成される。
【００１０】
ひげそり器用の本発明の洗浄装置は、洗浄流体の補給品を保持する貯蔵容器と、ひげそり器を受容する洗浄レセプタクルを有する。貯蔵容器は、放出口部を有し、洗浄流体は、該放出口部を介して貯蔵容器から洗浄レセプタクルへ流れることを可能とされる。本発明は、貯蔵容器及び洗浄レセプタクルが、貯蔵容器内の洗浄流体のレベルが洗浄レセプタクル内の洗浄流体の所定の最低レベルより高いように設計されることに特徴付けられ、レベルと貯蔵容器から洗浄レセプタクル流体への流れとの間の相違によって生成された流体の流れは、洗浄レセプタクル内の実際の流体レベルに依存して制御可能である。
【００１１】
本発明の利点は、非常によい洗浄結果が比較的少ない経費で達成され得ることである。かかる状況では、洗浄流体用にポンプ装置が必要とされないこと、また、他の電気構成部品又は電子構成部品が必要とされないことが特に有利である。更なる利点は、本発明の洗浄装置の容易な操作にある。最後に、本発明の洗浄装置の操作は、洗浄流体の極僅かな循環をもたらすため、ひげそり器から除去された毛の細片及び他のゴミが、沈殿物として実際には影響を受けずに収まることが可能となり、故に、比較的清潔な洗浄流体が各洗浄操作に対して使用可能である。
【００１２】
本発明の望ましい一実施例では、流体の流れは、洗浄レセプタクル内の洗浄流体の実際のレベルが所定の最低レベルより低くなるまでは、貯蔵容器から洗浄レセプタクルへ流れないようにされる。これにより、洗浄レセプタクル内の洗浄液体の実際のレベルは、貯蔵容器内の洗浄流体の充填レベルにかかわらず、略一定に保たれ得る。最低レベルは算出され得、洗浄レセプタクル内に配置されたひげそり器は、所定のレベルにまで洗浄流体で湿らされる。これは、貯蔵容器内の洗浄流体のレベルとは無関係に、ひげそり器を常に同一のレベルにまで洗浄流体で湿らせるという利点を有する。
【００１３】
貯蔵容器の放出口部は、換気口部として構成され得る。洗浄レセプタクル内の洗浄流体の実際のレベルが最低レベルを下回る際に、貯蔵容器は、該換気口部を介して通気される。最低レベルは、放出口部の最も高い位置によって予め確定され得る。これによって、洗浄レセプタクル内の流体レベルは、非常に簡易な手段を使用して一定に保たれ得る。可動部分が必要ではないため、本発明の装置のかかる実施例は、特に信頼性高く作動され、非消耗性である。
【００１４】
洗浄レセプタクルでは、ひげそり器の支持部が備えられ得る。支持部は、その下部に少なくとも１つの開口部を有し得る。これは、洗浄操作中にひげそり器から除去された毛の細片及び／又はゴミが、該開口部を介して支持部の内部を出て沈み得るという利点を有する。かかる配置では、洗浄レセプタクルが毛の細片及び／又はゴミが収まり得る収集器を有することを、特に利点とする。これらの対策をもって、洗浄流体が、比較的清潔な形状でひげそり器の洗浄に使用され得ることが確実にされる。
【００１５】
本発明の洗浄装置は、洗浄レセプタクルより上の固定され位置にひげそり器を保持するよう、保持装置を有し得る。ひげそり器は、洗浄操作の完了の際、乾燥のためにかかる保持装置内に置かれ得る。更に、貯蔵容器は、洗浄流体のレベルを読み取るよう観察窓を有し得る。本発明の洗浄装置の特に小型且つ堅固な構造は、貯蔵容器及び洗浄レセプタクルを一体化した１個構成で作ることによって達成され得る。
【００１６】
本発明はまた、ひげそり器、及びひげそり器を洗浄する本発明の洗浄装置を有するシステムに係る。ひげそり器は、ひげそり器を洗浄周期中に一時的に作動させる洗浄機能を始動させる始動装置を有する。
【００１７】
本発明のシステムの利点は、ひげそり器がその構造のタイプに最善に適合した洗浄プログラムを備えられ得ること、及び、洗浄装置上で洗浄プログラムを実施する経費が避けられ得ること、である。特に、ひげそり器によって実行されるため、洗浄装置は、電気構成部品又は電子構成部品無しで対処し得る。
【００１８】
始動装置は、手動用として設計され得る。同様に、始動装置は、また、制御装置を介する操作用に設計されることが可能であり、従って、始動装置を操作するのに必要であるグリップを省略されることが可能である。
【発明を実施するための最良の形態】
【００１９】
本発明は、添付の図面に例示される手動洗浄装置の実施例を参照して以下に説明される。
【００２０】
図１は、本発明の洗浄装置１は、洗浄流体３の補給品を保持するカートリッジ２を有する。観察窓４は、洗浄流体３のレベルを読み取るようカートリッジ２の側壁に埋め込まれる。ウェル（ｗｅｌｌ）５は、カートリッジ２の下方部に側面に沿って形成される。ウェル５は、特に、単一構造としてカートリッジ２と共に一体的に形成される。カートリッジ２の内部は、カートリッジ２の側壁の放出口部６を介してウェル５に通じる。カートリッジ２は、その他の部分は密封されているため、流体は、独占的に放出口部６を介してカートリッジ２から出て、空気がカートリッジ２に入り得るようにされる。ウェル５は、電動ひげそり器８を支持するよう貫通型の支持部７を有する。支持部７は、その下部に開口部９を与えられ、該開口部は、支持部７の内部を、支持部７の下方に配置された収集器１０に接続させる。開口部９は、特に、支持部７の最も深い点に与えられる。支持部７は、上向き方向に開いており、ひげそり器８のひげそりヘッド部１１が支持部７内に位置付けられ得るようにされる。図１に図示された操作状態では、ひげそり器８は、支持部７内に置かれていないが、保持装置１２に固定され、ひげそり器８のひげそりヘッド部１１は、ウェル５より上に置かれるようにされる。かかる位置は、ひげそり器８が乾燥のために洗浄位置からかかる位置に動かされるため、以下において乾燥位置として称される。
【００２１】
本発明の洗浄装置１を用いてひげそり器８上で適切な洗浄機能を実行するよう、ウェル５は、少なくとも所定の最低レベルまで洗浄流体３で充填されている必要がある。本発明の洗浄装置１は、ウェル５中の洗浄流体３が最低レベルを下回る際に、カートリッジ２中保持された洗浄流体３が放出口部６を介してウェル５に供給されるよう、構成される。かかる状態で本発明に対して不可欠な重要性は、洗浄流体３は、ポンプを用いてカートリッジ２からウェル５へとポンプされるのではなく、カートリッジ２からウェル５への流体の流れは、カートリッジ中の洗浄流体３のレベルがウェル５中の洗浄流体３の最低レベルを上回るよう配置することによって生成されることである。図示された実施例中、ウェル５中の洗浄流体３の最低レベルは、放出口部６の上端によって予め定められる。図１中、ウェル５中の洗浄流体３の実際のレベルは、最低レベルと同等である。即ち、ウェル５は、放出口部６の上端まで洗浄流体３で充填される。洗浄流体３の充填レベルと、ウェル５中の洗浄流体３の実際のレベルとの間の高さにおける相違にかかわらず、カートリッジ２の外側の放出口部６の全体断面部分が洗浄流体３の表面を下回るため、洗浄流体３のカートリッジ２からウェル５への流出は発生しない。その結果、外気は、他の部分は密閉されているカートリッジ２へ放出口部を介して流れ得えない。洗浄流体３がカートリッジ２から流れ出ることができるのは、カートリッジ２内で展開する大気を下回る圧力が、放出口部６を介してカートリッジ２を通気することによって少なくとも部分的には低減された場合のみである。これは、流体３は、ウェル５中の洗浄流体３の実際のレベルが最低レベルを下回るまで、カートリッジ２から放出され得ないということを意味し、従ってその上方の放出口部６を洗浄する。
【００２２】
例えば、洗浄流体３の蒸発により、ウェル５中の洗浄流体３の実際のレベルが最低レベルを下回った際、外気が放出口部６の自由断面部分を介してカートリッジ２に入る。これによって、カートリッジ２中の外気を下回る圧力は、少なくとも部分的に低減されることとなり、カートリッジ２中に保持された洗浄流体３の補給品は、放出口部６を介してカートリッジ２からウェル５へと流れるようにされる。洗浄流体３の流出は、カートリッジ２中の大気を下回る圧力における上昇を生む。これは、ウェル５中の洗浄流体３の実際のレベルが放出口部６の上端部を下回る限りにおいては、即ち、洗浄流体３がウェル５中の最低レベルに到達するまでは、外気の流入によって相殺され得る。かかる瞬間から、カートリッジ２からの洗浄流体３の流出は、結果として、カートリッジ２中の大気を下回る圧力における上昇をもたらす。大気を下回る圧力は、カートリッジ２からの洗浄流体３の流出を妨げるため、流体の流れはそれに続いて妨害される。
【００２３】
カートリッジ２の各通気は、ウェル５中の洗浄流体３の実際のレベルの最低レベルを下回る減少によってもたらされ、該通気をもって、一定量の洗浄流体３はカートリッジ２からウェル５へと流れ、ウェル５中の洗浄流体３の実際のレベルが最低レベルを再び上回るよう上昇される。カートリッジ２の通気と、カートリッジ２からウェル５への洗浄流体３の流出との組合せを介して、ウェル５中の洗浄流体３の実際のレベルは、少なくとも最低レベルの高さで常に保たれ、積極的介入を要求しない。従って、洗浄を目的としてウェル５中に浸漬されたひげそり器８は、カートリッジ２の充填レベルに関わらず、所定のレベルまで洗浄流体３で常に湿らされていることが確実にされる。本発明の洗浄装置を用いてひげそり器８を洗浄する工程は、図２を参照して以下に説明される。
【００２４】
図２は、洗浄操作中の図１の実施例を断面図で図示する。洗浄を目的として、ひげそり器８は、ウェル５中の支持部７上にひげそりヘッド部１１の部分とともに位置され、図２に例示された洗浄位置を占める。かかる位置では、ひげそり器８は、カートリッジ２の側壁上で第２のゴム製のレスト部１４に支えられることに加え、第１のゴム製のレスト部１３を介してウェル５に支えられる。ウェル５のカバーがある場合は、事前に取り去られる。図１を参照して説明された通り、支持部７にひげそり器８を配置する以前に、ウェル５は、放出口部６の上端部まで洗浄流体３で充填される。一定量の流体がひげそり器８によって動かされるため、ウェル５中の流体レベルは、ひげそり器８が浸漬される際に僅かに上昇する。ウェル５及び放出口部６の設計ではかかる上昇は許容され、ひげそり器８は所定のレベルまで洗浄流体３で湿らされる。
【００２５】
短い浸漬期間に続いて、ひげそり器８は、約１分乃至２分間作動される。浸漬期間が算出され、ひげそりヘッド部１１の効果的な洗浄が、洗浄周期中に全面的に要求される時間を不必要に延ばすことなく後続の操作段階において可能なようにする。ひげそり器８は、多種の方法で操作を始められ得る。図２中に図示された実施例では、ひげそり器８は、ひげそりを目的としてひげそり器８のスイッチをオン及びオフにするようにも使用されるスイッチ１５を使用して、スイッチを入れられ、所望の期間の後手動で再びスイッチを切られる。ある変形では、図示されていないが、スイッチ１５に加えて、ひげそり器８上に、洗浄プログラムを開始するよう洗浄ボタンが与えられ、それを使用して、ひげそり器８は、洗浄ボタンの手動操作後に１回又は複数回の期間、自動的に操作を始められる。かかる場合、浸漬期間は、操作段階の間で与えられる。他の変形では、ひげそり器８は、洗浄プログラムを開始するよう開始装置を備えられ、ひげそりヘッド部１１がウェル５に浸漬される際に洗浄装置によって自動的に操作され、結果的に洗浄プログラムが自動的に開始される。
【００２６】
ひげそり器８を操作させることにより、集中的な洗浄効果が達成され得、毛の細片及び他のゴミは、ひげそりヘッド部１１の部分から除去され得る。かかる効果は、洗浄流体３とひげそりヘッド部１１の構成部品との間の相対運動によるものである。相対運動は、ひげそり器８の駆動モータを活用して生成され、従って、流体３の電動ポンプ装置を有する本発明の洗浄装置１を備える必要性を除去する。取り除かれた毛の細片及びゴミは、支持部７の開口９を介して収集容器１０の底部に沈殿し得、そこに収まる。かかる配置では、支持部７は、主に、ひげそり器８が操作を始められる際に毛の細片及びゴミが再び攪拌されることを防ぐ。洗浄周期は、洗浄結果、及び洗浄全体に要求される時間に関して、ひげそり器８の操作時間及びその間の浸漬時間の長さを変化させることによって、最適化され得る。
【００２７】
洗浄周期の完了の際、ひげそり器８は、ウェル５から取りはずされ、図１中に図示された乾燥位置に配置される。これは、保持装置１２にひげそり器８を留めることを有するため、ひげそりヘッド部１１は、ウェル５の上方に配置されるようにする。かかる位置では、例えば、ひげそりヘッド部１１に残っている洗浄流体３の残余が、ウェル５に落ちることが可能である。ひげそり器８が乾燥した際、適切なカバーが洗浄装置１に与えられている場合は、ウェル５はカバーされる。
【図面の簡単な説明】
【００２８】
【図１】乾燥位置にあるひげそり器を図示する、本発明の洗浄装置の一実施例の断面図である。
【図２】洗浄位置にあるひげそり器を図示する、図１中の実施例の断面図である。
【図１】
0004468945.tif 000002
【図２】
0004468945.tif 000003